(57)【特許請求の範囲】
【請求項１】
情報を表示する表示手段と、原稿に光を照射する光源と、前記光源を原稿の副走査方向に移動させるための駆動モータとを備えた画像読み取り装置において、少なくとも前記画像読み取り装置の待機時に前記光源が前記表示手段の下部で待機し、前記光源からの光が前記表示手段のバックライトとして機能することを特徴とする画像読み取り装置。
【請求項２】
前記光源が前記表示手段の下部で待機している位置から移動された時も、前記光源からの光が前記表示手段のバックライトとして機能することを特徴とする請求項１記載の画像読み取り装置。
【請求項３】
前記光源の光は光ファイバーを通って表示手段に達することを特徴とする請求項２記載の画像読み取り装置。
【請求項４】
前記光源の光はミラーを介して表示手段に達することを特徴とする請求項２記載の画像読み取り装置。
【発明の詳細な説明】
【０００１】
【発明の属する技術分野】
本発明は、冷陰極等の画像読み取り用の光源と表示部を持つ画像読み取り装置に関する。特に表示部のバックライトに関する。
【０００２】
【従来の技術】
図５は画像形成装置の画像読み取り部の構成図である。
【０００３】
画像読み取り部１００は、原稿をセットするためのガラス等を用いた透明な原稿台１０４、原稿１１０を原稿台１０４に密着させる原稿カバー１２０、原稿を照射するための光源１０６、反射ミラー１０８、集光レンズ１０３、受光した光をその強度に応じた電気信号に変換するためのＣＣＤ部１０７等の光電変換部（以後、ＣＣＤ部１０７と記す）１０７、そして、光源１０６、反射ミラー１０８、集光レンズ１０３、ＣＣＤ部１０７から構成される光学ユニット１０５と光学ユニット１０５を原稿の副走査方向に移動させるための光学ユニット駆動モータ１０１、光学ユニット１０５が画像読み取り開始可能な位置（ホームポジション）に在ることを検知するホームポジションセンサ１０２、画像形成装置の各種情報を表示する表示部１２１、画像読み取り部１００を制御する制御１ユニット１１１で構成される。
【０００４】
表示部１２１は図示しない文字を表示する液晶部と液晶部の文字を見やすくするために液晶部の下に設置したバックライト部で構成される。バックライト部はＬＥＤ，冷陰極管等の光源を持ち、この光源で液晶部を下から照らすことにより文字をどの角度から見てもくっきりと見えるようにしている。
【０００５】
また、低価格の画像形成装置ではバックライト部を持たない表示部を備えている。
【０００６】
原稿１１０を読み取る場合は、まず原稿１１０を原稿台１０４に置いて、原稿カバー１２０を閉じる。次に図示しない画像読み取り用スイッチを押すか、画像形成装置と接続されている図示しないホストコンピュータから画像読み取り指示を行なうことにより、制御１ユニット１１１は光学ユニット１０５を水平方向に走査して画像を読み取る。
【０００７】
【発明が解決しようとする課題】
しかしながら、上記従来例では、表示部１２１のバックライト部は専用の光源を持っていた。この光源は比較的高価であり、製品の低価格化の妨げとなっていた。低価格の製品では表示部１２１のバックライト部を削除しているが、これは文字の見やすさを犠牲にしていた。
【０００８】
本発明は、上記に鑑みてなされたものであり、バックライト機能付きの表示部を安価に実現できる画像読み取り装置を提供することを目的とする。
【０００９】
【課題を解決するための手段】
上記の目的を達成するために、本発明は、情報を表示する表示手段と、原稿に光を照射する光源と、前記光源を原稿の副走査方向に移動させるための駆動モータとを備えた画像読み取り装置において、少なくとも前記画像読み取り装置の待機時に前記光源が前記表示手段の下部で待機し、前記光源からの光が前記表示手段のバックライトとして機能することを特徴とする。
【００１０】
前記光源が前記表示手段の下部で待機している位置から移動された時も、前記光源からの光が前記表示手段のバックライトとして機能することを特徴とする。
【００１１】
また、前記光源の光は光ファイバーを通って表示手段に達することを特徴とする。
【００１２】
また前記光源の光はミラーを介して表示手段に達することを特徴とする。
【００１３】
本発明によれば、画像読み取り用の光源の光を光導部材、光ファイバー、ミラーで表示部に導くことにより、表示部専用の光源を削除してもバックライト機能付きの表示部を実現した画像読み取り装置を提供できる。
【００１４】
【発明の実施の形態】
（実施例１）
本発明の実施例を図１と図２を用いて説明する。
【００１５】
図１において、１００は画像読み取り部、２００はプリンタ部である。
【００１６】
画像読み取り部１００は、原稿をセットするためのガラス等を用いた透明な原稿台１０４、原稿１１０を原稿台１０４に密着させる原稿カバー１２０、原稿を照射するための光源である冷陰極管１０６（冷陰極管１０６は画像読み取り部１００が待機時でも発光している）、反射ミラー１０８、集光レンズ１０３、受光した光をその強度に応じた電気信号に変換するためのＣＣＤ部１０７等の光電変換部（以後、ＣＣＤ部１０７と記す）１０７、そして、光源１０６、反射ミラー１０８、集光レンズ１０３、ＣＣＤ部１０７から構成される光学ユニット１０５、光学ユニット１０５を原稿の副走査方向に移動させるための光学ユニット駆動モータ１０１、光学ユニット１０５が画像読み取り開始可能な位置（ホームポジション）に在ることを検知するホームポジションセンサ１０２、画像形成装置の各種情報を表示する表示部１２１、画像読み取り部１００を制御する制御１ユニット１１１、冷陰極管１０６の光を表示部１２１まで導く光導部材１２２で構成される。
【００１７】
光導部材１２２は材質がアクリル等の光透過率の高いものであって、その表面がきわめて滑らかに作られた部品であり、ホームポジション上にある光学ユニット１０５と表示部１２１との間に取り付ける。光導部材１２２の光出力端部は表示部１２１の下に位置し、光導部材１２２の光入力端部は冷陰極管１０６と対向する。冷陰極管１０６の光は光導部材１２２に導かれ、表示部１２１を下から照らす。
【００１８】
原稿１１０を読み取る場合は、原稿１１０を原稿台１０４に置き、原稿カバー１２０を閉じる。次に、光学ユニット駆動モータ１０１により光学ユニット１０５を副走査方向に走査して原稿を読み取る。具体的には、光学ユニット１０５の光源１０６からの光は原稿台１０４上の原稿に照射され、原稿からの反射光は反射ミラー１０８と集光レンズ１０３を経て、ＣＣＤ部１０７に入射する。ＣＣＤ部１０７に入射した光は電気信号に変換され、制御１ユニット１１１に送られ、画像処理が行われる。画像処理が行われたデータは制御２ユニット２１１に送られる。制御ユニット２１１ではこのデータに基づいてレーザースキャナーユニット２０８を用いてトナーカートリッジ２０５内の像担持体に静電潜像を形成する。
【００１９】
制御１ユニット１１１は上記動作と同時に光学ユニット１０５を光学ユニット駆動モータ１０１で副走査方向に走査することで原稿全体の画像読み取りを行なう。
【００２０】
プリンタ部２００は給紙カセット２０１、記録媒体であるところの紙２０２、給紙ローラ２０３、レジストローラ２０４、像担持体（感光ドラムと呼ぶ）及び不図示の帯電器、現像器を内蔵したトナーカートリッジ２０５、転写ローラ２０６、紙２０２の搬送路２０７、不図示のポリゴンモータ、半導体レーザ等で構成されるレーザースキャナーユニット２０８、紙上のトナーを定着させる定着ユニット２０９、排紙トレイ２１０、画像形成装置全体を制御する制御ユニット２１１で構成される。
【００２１】
プリンタの動作について説明する。カセット２０１にある紙２０２は、給紙ローラ２０３と分離部材（不図示）との協働により１枚分離給紙される。レジストローラ２０４は給紙部からの紙の斜行修正をするとともに感光ドラム側の画像形成と同期をとって適切なタイミングで紙を転写ローラ２０６に給紙する。レーザスキャナー２０８より目的の画像パターンに対応したレーザビーム走査露光がなされることにより、感光ドラム上に静電潜像が形成される。この静電潜像は紙が転写ローラを通過する時に転写され、定着ユニット２０９で紙に定着され、排紙トレイ２１０に排出される。
【００２２】
図２の（ａ）は画像読み取り部１００を上部から見た図、（ｂ）は光学ユニット１０５がホームポジションにいる時，（ｃ）は画像読み取りを行っている時の図である。
【００２３】
図２の（ｂ）で画像読み取り用の光源である冷陰極管１０６は画像読み取り部１００の待機時も光学ユニット１０５がホームポジションにいる間は発光を続けている。これは、冷陰極管は発光を開始した後、発光光量が安定するまでに数分かかるため、画像読み取りスイッチが押されても数分たたないと画像読み取り動作を開始できない。そこで、待機中も冷陰極管１０６を発光させておいて発光光量を安定させている。
【００２４】
ここでは、光源を冷陰極管として説明するが、他のキセノンやハロゲン等でもかまわない。
【００２５】
冷陰極管１０６は光導部材１２２と対向するところに開口部を設け、冷陰極管からの光は光導部材１２２に導かれて表示部１２１に達する。
【００２６】
図２の（ｃ）は光学ユニット１０５がホームポジションにいないため、冷陰極管１０６の光は光導部材１２２を通して表示部１２１には達しない。
【００２７】
従って、表示部１２１は画像読み取り動作中のみ、バックライト部を持たない状態と同じである。
【００２８】
以上にように、画像読み取り部１００の待機時には表示部専用の光源を持たなくても、表示部を下から照らすことができ、文字をどの角度から見てもくっきりと見せることができる。また、専用の光源を持たないため、製品の低価格化が計れる。
【００２９】
（実施例２）
本発明の実施例２は図３を用いて説明する。
【００３０】
上記実施例１では光導部材を使用していたが、実施例２では、光ファイバーを使用する。
【００３１】
図３の（ａ）は光学ユニット１０５がホームポジションにいる時，（ｂ）は画像読み取りを行っている時の図である。
【００３２】
図３において、図１と重複する部分は説明を省略する。
【００３３】
実施例２では光ファイバーを使用しているため、画像読み取り時でも冷陰極管１０６の光は光ファイバー１２３を通して表示部１２１に達する。
【００３４】
以上にように、画像読み取り部１００は表示部専用の光源を持たなくても、表示部を下から照らすことができ、文字をどの角度から見てもくっきりと見せることができる。また、専用の光源を持たないため、製品の低価格化が計れる。
【００３５】
（実施例３）
本発明の実施例３は図４を用いて説明する。
【００３６】
上記実施例２では光ファイバーを使用していたが、実施例３では、ミラー１２４を用いる。
【００３７】
図４の（ａ）は光学ユニット１０５がホームポジションにいる時，（ｂ）は画像読み取りを行っている時の図である。
【００３８】
図４において、図１と重複する部分は説明を省略する。
【００３９】
冷陰極管１０６の光はミラー１２４で反射して表示部１２１に達する。
【００４０】
以上にように、画像読み取り部１００は表示部専用の光源を持たなくても、表示部を下から照らすことができ、文字をどの角度から見てもくっきりと見せることができる。
【００４１】
また、専用の光源を持たないため、製品の低価格化が計れる。
【００４２】
なお、本発明は不図示のホストコンピュータの画像信号を制御２ユニット２１１に送ればプリンタとして機能し、画像読み取り部１００からの画像信号を制御２ユニット２１１に送れば複写機として機能し、画像読み取り部１００からの画像信号は制御１ユニット１１１を介してホストコンピュータに送ればイメージスキャナーとして機能する。
【００４３】
また、本発明は上述した実施形態に限定されず、複数の機器から構成されるシステムに適用しても、一つの機器からなる装置に適用してもよい。
【００４４】
【発明の効果】
以上説明したように、本発明によれば、画像読み取り用の光源の光を光導部材、光ファイバー、ミラーで表示部に導くことにより、表示部専用の光源を削除してもバックライト機能付きの表示部を実現した画像読み取り装置を提供できる。
【図面の簡単な説明】
【図１】  本発明を実施例１に係る画像形成装置の概略構成図
【図２】  本発明を実施例１に係る画像形成装置の画像読み取り部の概略構成図
【図３】  本発明を実施例２に係る画像形成装置の画像読み取り部の概略構成図
【図４】  本発明を実施例３に係る画像形成装置の画像読み取り部の概略構成図
【図５】  従来例による画像形成装置の画像読み取り部の概略構成図
【符号の説明】
１００  画像読み取り部
１０１  光学ユニット駆動モータ
１０４  原稿台
１０５  光学ユニット
１０６  光源
１０７  ＣＣＤ部
１１０  原稿
１１１  制御１ユニット
１２０  原稿カバー
１２１  表示部
１２２  光導部材
１２３  光ファイバー
１２４  ミラー
２００  プリンタ部
２０１  給紙カセット
２０２  紙
２０３  給紙ローラ
２０４  レジストローラ
２０５  トナーカートリッジ
２０８  レーザースキャナーユニット
２０９  定着器
２１０  排紙トレイ
２１１  制御２ユニット
【図１】
0003809363.tif 000002
【図２】
0003809363.tif 000003
【図３】
0003809363.tif 000004
【図４】
0003809363.tif 000005
【図５】
0003809363.tif 000006